(57)【要約】【課題】  従来の携帯電話機は多種多様な機能がそれらに多く付与されているが、様々なユーザのニーズに対応するため多くの機能を携帯電話機に持たせているが、無駄な部分も多い。上記の問題を解決するために基本的な通話機能以外の機能をオプションの別ユニットとして付加できる構造を有する携帯電話を提供する。【解決手段】  送話器３とキーパッド４からなる第１ユニット１は通話機能のみを持ち、表示部６と受話器５からなる補助ユニット１０と接続することにより、一つの携帯電話として機能し、単体で発信または受信通話ができる。また補助ユニット１０を取外し、第１ユニット１の上部に、ユーザのニーズに合わせて個別機能を有する機能ユニット９を追加できる接続端子を持つ第２ユニット２を接続し、機能拡張可能な携帯電話機として使用できる。【選択図】図３
2009105864.tif 000002
【特許請求の範囲】
【請求項１】
通話機能のみを持つ部材を実装してなる第１ユニット、および表示部と受話器を持つ補助ユニットが接続された状態で、発信および受信の少なくともいずれかの機能を有することを特徴とする携帯電話機。
【請求項２】
通話機能以外で、表示を必要とする様々な機能を有する個別機能ユニットを接続するための接続端子を、少なくとも一つ有する部材を実装してなる第２ユニットが、前記第１ユニットに接続されている状態で、前記第１ユニットと前記第２ユニットが全部露呈されることを特徴とする、請求項１に記載の携帯電話機。
【請求項３】
前記第１ユニットと前記第２ユニットの接続部は、折り畳みが可能な構造を有し、前記第１ユニットと前記第２ユニットが接続され、かつ前記接続部が折り畳まれた状態で、前記第１ユニットの少なくとも一部が前記第２ユニットによって覆われ、前記接続部が展開された状態で、前記第１ユニットの全部が露呈されることを特徴とする、請求項２に記載の携帯電話機。
【請求項４】
前記第１ユニットが前記第２ユニットと接続したときに、第１ユニットから第２ユニットに電源が供給されて第２ユニットのシステムが起動された後、第１ユニットが第２ユニットの補助ユニットとして認識され、機能すること特徴とする請求項２または請求項３に記載の携帯電話機。
【請求項５】
請求項２ないし請求項４のいずれかに記載の第２ユニットは、電子撮像装置を含んで構成することを特徴とする請求項４に記載の携帯電話機。
【請求項６】
請求項２ないし請求項４のいずれかに記載の第２ユニットは、小型メモリ読取・書込装置を含んで構成することを特徴とする請求項４に記載の携帯電話機。
【請求項７】
前記接続部が折り畳み状態であるか展開状態であるかを判別する開閉検出部を付加して構成することを特徴とする請求項３ないし請求項６のいずれかに記載の携帯電話機。
【請求項８】
前記開閉検出部によって判別された前記の各ユニット間の状態に応じて携帯電話の動作モードを変更するモード切替制御部を付加して構成することを特徴とする請求項７に記載の携帯電話機。
【発明の詳細な説明】
【技術分野】
【０００１】  本発明は、携帯電話機能を機能ブロックのそれぞれに対応して部材実装された複数の機能ユニットを追加することで、多種多様な機能を自由自在に追加することができる携帯電話機に関する。
【背景技術】
【０００２】  一般的に、携帯電話機は、最大限に全てのユーザのニーズに合わせるため、多種多様な機能が全て搭載されるため、個別ユーザにおいて必要としない機能が携帯電話機に搭載され、活用されない場合がある。【０００３】  近年の携帯電話機は、単に通話のみでなくインターネット等のブラウザ、電子メール送受信端末、スケジュール管理、音楽再生等の機能を付加した携帯情報端末として活用されるようになってきた。このため、ほとんどの携帯電話機には大画面の表示器が付加しておるが、携帯電話機を単なる電話で使用する高齢者や子供等には大画面の表示器が必要とされない場合があり、液晶画面を付加していない携帯電話機も開発され、実用化されている。【０００４】また携帯電話機は前記のような単なる電話や情報端末だけではなく、金融分野におけるクレジットカードや銀行カード、交通分野における電車の切符やバスのパスカード、放送分野におけるデジタル放送受信端末、セキュリティ分野における住まいや車の自動回旋キー等としての、実に様々な機能が同一の携帯電話機に搭載されているため、携帯電話の研究開発コスト、製造コストも高くなる一方である。また操作の面でもますます複雑になる傾向がある。しかしながら、全ての機能を持った携帯電話機を所有していながらも、様々な理由によってユーザはほとんどの機能を使用していない現状がある。【０００５】  これに対処するための一手段として特許文献１には、スライド機構により必要な機能が実装された部分を露呈させることが可能な携帯電話が開示されている。しかし、ここに開示されている技術は、前記の課題に必ずしも十分に対応し得るものではない。
【特許文献１】  特開２００３−３１９０４４号公報
【発明の開示】
【発明が解決しようとする課題】
【０００６】  従来の携帯電話機は、様々な機能が搭載されるようになっているため、操作が複雑になって使い勝手が低下すると共に、一機種当りの研究開発コストも増加する傾向にある。
そこで、本発明の目的は、携帯電話機の有する多種多様な機能を使い勝手を犠牲にせずに、従来より多くの数に分割して使い勝手を大幅に向上させることできると共に、使用していない機能ユニットを携帯電話機本体から外せるように構成している携帯電話機を提供することにある。
【課題を解決するための手段】
【０００７】  前記課題を解決するために、本発明による携帯電話機は、次に記載するような特徴的な構成を採用している。【０００８】  携帯電話機の通話機能のみを持つ部材実装された第１ユニットおよび表示部と受話器を持つ補助ユニット１０が接続された状態で一つの携帯電話として機能し、発信または受信通話ができる携帯電話機。【０００９】  携帯電話機の通話機能のみを持つ部材実装された第１ユニットおよび表示を必要とする機能を持ち、かつ多種多様な機能を持つ個別機能ユニットを追加するための少なくとも一つの接続端子を持つ部材実装された第２ユニットが接続端子において接続される一つの携帯電話機であって、前記第１ユニットと第２ユニットが接続されている状態で両ユニットが常に全部露呈する携帯電話機。【００１０】  携帯電話機の通話機能のみを持つ部材実装された第１ユニットおよび表示を必要とする機能を持ち、かつ多種多様な機能を持つ個別機能ユニットを追加するための少なくとも一つの接続端子を持つ部材実装された第２ユニットが接続端子において接続される一つの携帯電話機であって、前記第１ユニットと第２ユニットが接続されている状態で前記第２ユニットが折畳状態にされた時に前記第１ユニットが一部または全部覆われ、かつ前記第２ユニットが展開状態にされた時に前記第１ユニットが全部露呈する携帯電話機。【００１１】  第１ユニットが第２ユニットと接続したときに、第１ユニットから第２ユニットに電源が供給されて第２ユニットのシステムが起動された後、第１ユニットが第２ユニットの補助ユニットとして認識され、機能する携帯電話機。【００１２】  第２ユニットは、電子撮像装置を含んで構成する携帯電話機。【００１３】  第２ユニットは、小型メモリ読取・書込装置を含んで構成する携帯電話機。【００１４】  第１ユニットと第２ユニットの間が折畳状態であるか展開状態であるかを判別する開閉検出部を付加して構成する携帯電話機。【００１５】  開閉検出部によって判別された前記の各ユニット間の状態に応じて携帯電話の動作モードを変更するモード切替制御部を付加して構成する携帯電話機。
【発明の効果】
【００１６】  通信機能とデータ処理機能を２種の機能ユニットに分割し、通信機能を持った機能ユニットを単体でも使用できるようにすることで、頻繁にデータ処理機能や画像表示機能を使用していないユーザにとっては、小さくて持ち運びの容易さや価格の面で魅力的であって、また通信機能を持った機能ユニットは必要に応じてデータ処理機能を持った機能ユニットと接続でき、一つの携帯電話機として使用できるため、使い勝手を向上させることができる。その他にデジタル放送受信機能、電子撮像機能、電子現金決済機能、クレジット機能など追加機能を同携帯電話機に持たせることができ、ユーザのニーズにあった携帯電話機ができる。
【発明を実施するための最良の形態】
【００１７】  以下、図面を用いて本発明の実施の形態を詳細に説明する。先ず第１の実施の形態による携帯電話について図１を用いて説明する。本実施形態の携帯電話機は、送話器３とキーパッド４からなる部材実装された第１ユニット１に表示部６と受話器５からなる部材実装された補助ユニット１０が第１ユニット１の上部に接続されている状態にあって従来の折り畳み型の携帯電話機よりも大幅にコンパクトにされている。【００１８】  第１ユニット１は、長方形の第１ユニット１の筐体の一の短辺部に埋め込まれた送話器３の開口を有し、その上位にはキーパッド４で構成され、さらにその上部にはドットマトリックス形式で構成される小画面の表示部６と受話器５の開口が露呈して設けられた補助ユニット１０を接続するための接続端子部（図示せず）を介して両ユニットが連結されると共に、第１ユニット１と補助ユニット１０の抜け止め機構（図示せず）が設けられる。【００１９】  このように第１ユニット１および補助ユニット１０から構成された携帯電話機は、キーパッド４を用いた操作を行うことができ、発受信通話の機能のみを有し、高齢者や子供のために簡単な操作ができる。【００２０】  次に本発明による携帯電話機の第２の実施の形態による携帯電話機について、図２を用いて説明する。本実施形態の携帯電話機は、送話器３とキーパッド４からなる部材実装された第１ユニット１に表示部６と個別キー７からなる部材実装された第２ユニット２が第１ユニット１の上部に接続されている状態にあって従来の液晶表示器付きの携帯電話機として機能する。【００２１】  第１ユニット１は、長方形の第１ユニット１の筐体の一の短辺部に埋め込まれた送話器３の開口を有し、その上位にはキーパッド４で構成され、さらにその上部には個別キー７とドットマトリックス形式で構成される小画面の表示部６と受話器５の開口が露呈して設けられた第２ユニット２を接続するための接続端子部（図示せず）を介して両ユニットが連結されると共に、第１ユニット１と第２ユニット２の抜け止め機構（図示せず）が設けられる。【００２２】  このように第１ユニット１および第２ユニット２から構成された携帯電話機は、キーパッド４と個別キー７を用いた操作を行うことができ、発受信通話の機能と画像処理機能とデータ通信機能を有し、大画面を必要とするメールの送受信、電話番号や個人データのメモリ登録などの機能を使用することができる。また第２ユニット２の長辺部のいずれの側面には補助記憶媒体挿入口８が設けられる場合があり、音楽の保存など大容量のメモリを必要とした場合に小型メモリを差し込んで使用することができ、さらに第２ユニット２の一の短辺部にデジタル放送受信機能、電子撮像機能、電子現金決済機能、クレジット機能などを有する機能ユニット９と接続できる端子が設けられる。【００２３】  そして第１ユニット１に第２ユニット２が接続される時、電気（電源）が第１ユニット１の接続端子部を通して第２ユニット２に供給され、第２ユニット２のシステムが起動されてから、第１ユニット１が補助ユニットとして認識される。このようにして図５に示されたように第１ユニット１には無線部があって、制御部や信号処理回路はほとんど第１ユニット１に���み込まれる。第２ユニット２はそれぞれの機能を行うときに対応して操作ボタン、表示器、電子カメラのための光学機能部の必要とされる部位を露呈して操作し得るようにすると共に、液晶画面に表示されるように構成している。【００２４】  さらに本発明による携帯電話機の第３の実施の形態による携帯電話機について、図３を用いて説明する。本実施形態の携帯電話機は、送話器３とキーパッド４からなる部材実装された第１ユニット１に表示部６と個別キー７からなる部材実装された第２ユニット２が第１ユニット１の上部に接続されている状態にあって折畳み可能な液晶表示器付きの携帯電話機として機能する．【００２５】  第１ユニット１は、長方形の第１ユニット１の筐体２の一の短辺部に埋め込まれた送話器３の開口を有し、その上位にはキーパッド４で構成され、さらにその上部には個別キー７とドットマトリックス形式で構成される小画面の表示部６と受話器５の開口が露呈して設けられた第２ユニット２を接続するための接続端子部（図示せず）を介して両ユニットが連結されると共に、第１ユニット１と第２ユニット２の抜け止め機構（図示せず）が設けられる。【００２６】  このように第１ユニット１および第２ユニット２から構成された携帯電話機は、キーパッド４と個別キー７を用いた操作を行うことができ、発受信通話の機能と画像処理機能とデータ通信機能を有し、大画面を必要とするメールの送受信、電話番号や個人データのメモリ登録などの機能を使用することができる。また第２ユニット２の長辺部のいずれの側面には補助記憶媒体挿入口８が設けられる場合があり、音楽の保存など大容量のメモリを必要とした場合に小型メモリを差し込んで使用することができ、さらに第２ユニット２の一の短辺部にデジタル放送受信機能、電子撮像機能、電子現金決済機能、クレジット機能などを有する機能ユニット９と接続できる端子が設けられる。【００２７】    そして第１ユニット１に第２ユニット２が接続される時、電気（電源）が第１ユニット１の接続端子部を通して第２ユニット２に供給され、第２ユニット２のシステムが起動されてから、第１ユニット１が補助ユニットとして認識される。このようにして図５に示されたように第１ユニット１には無線部があって、制御部や信号処理回路はほとんど第２ユニット２に組み込まれる。それぞれの機能を行うときに対応して操作ボタン、表示器、電子カメラのための光学機能部の必要とされる部位を露呈して操作し得るようにすると共に、液晶画面に表示されるように構成している。
【図面の簡単な説明】
【００２８】
【図１】本発明による携帯電話機の第１の実施の形態を示す図である。
【図２】本発明による携帯電話機の第２の実施の形態を示す図である。
【図３】本発明による携帯電話機の第３の実施の形態の展開状態を示す図である。
【図４】本発明による携帯電話機の第３の実施の形態の折畳状態を示す図である。
【図５】本実施形態における携帯電話機の構成ブロックを示す図である。
【符号の説明】
【００２９】１  第１ユニット
２  第２ユニット
３  送話器
４  キーパッド
５  受話器
６  表示部
７  個別キー
８  補助記憶媒体挿入口
９  機能ユニット
１０  補助ユニット
【図１】
2009105864.tif 000003
【図２】
2009105864.tif 000004
【図３】
2009105864.tif 000005
【図４】
2009105864.tif 000006
【図５】
2009105864.tif 000007